(57)【要約】【課題】  ディスク装置一体型液晶表示装置において、板金製のスペーサやそれを取り付けるための取付ビスを省略した上で、ディスク装置を配線基板に対し嵩上げして配線基板の搭載部品を収容するスペースを確保することを可能にする。【解決手段】  液晶モジュール６の背部に配線基板７とディスク装置８とが配備されているディスク装置一体型液晶表示装置において、液晶モジュール６の樹脂成形体でなる背板６１に重なり状に取り付けた配線基板７の孔部に、背板６１に一体成形した突起７１を挿通させ、その突起７１の頂部にディスク装置８の取付け部としてのブラケット８１を重ね合わせることによって配線基板７の搭載部品を収容可能なスペースを確保し、突起７１にディスク装置８のブラケット８１をビス止めする。【選択図】        図１
2007318302.tif 000002
【特許請求の範囲】
【請求項１】
液晶モジュールの背部に配線基板とディスク装置とが配備されていて、それらの配線基板とディスク装置との間に板金製のスペーサを介在させることによって、配線基板の搭載部品を収容可能なスペースを、上記配線基板と上記ディスク装置との相互間に確保させてあるディスク装置一体形液晶表示装置において、
上記スペーサを省略する代わりに、上記液晶モジュールの背板に重なり状に取り付けられた配線基板の孔部に樹脂成形体でなる上記背板に一体成形された突起を挿通させ、その突起の頂部に上記ディスク装置の取付け部を重ね合わせることによって上記配線基板の搭載部品を収容可能なスペースを上記配線基板と上記ディスク装置との相互間に確保させ、かつ、上記突起にディスク装置の上記取付け部をビス止めしてあると共に、上記突起は、上記背板を成形するための金型に形成されていて、入れ子を配備することによって塞がれる入れ子挿入孔の孔壁面を成形面に利用することにより成形されていることを特徴とするディスク装置一体型液晶表示装置。
【請求項２】
液晶モジュールの背部に配線基板とディスク装置とが配備されているディスク装置一体形液晶表示装置において、
上記液晶モジュールの背板に重なり状に取り付けられた配線基板の孔部に、樹脂成形体でなる上記背板に一体成形された突起を挿通させ、その突起の頂部に上記ディスク装置の取付け部を重ね合わせることによって上記配線基板の搭載部品を収容可能なスペースを上記配線基板と上記ディスク装置との相互間に確保させ、かつ、上記突起にディスク装置の上記取付け部をビス止めしてあることを特徴とするディスク装置一体型液晶表示装置。
【請求項３】
上記突起は、上記背板を成形するための金型に形成されていて、入れ子を配備することによって塞がれる入れ子挿入孔の孔壁面を成形面として利用することにより成形されている請求項２に記載したディスク装置一体型液晶表示装置。
【発明の詳細な説明】
【技術分野】
【０００１】
本発明は、ディスク装置一体型液晶表示装置、特に、液晶モジュールに対するディスク装置の取付け性を改善するための対策を講じたディスク装置一体型液晶表示装置に関する。
【背景技術】
【０００２】
液晶型テレビジョン受像機などの液晶表示装置に他の種類のＡＶ機器を組み付けることによって構成されるＡＶ複合機のうち、他の種類のＡＶ機器としてＣＤドライブ／ＤＶＤドライブなどのディスク装置を組み付けることによって構成されるディスク装置一体型液晶表示装置は、薄形化を図りやすいという液晶表示装置の特性をできるだけ損なわないようにすることなどを意図して、液晶表示装置の液晶モジュールの背部に制御用の配線基板やディスク装置を重なり状に配備することが行われている（たとえば、特許文献１、特許文献２参照）。
【０００３】
一方、図３には従来のディスク装置一体型液晶表示装置の要部を概略分解斜視図で示してあり、図４には、図３のディスク装置一体型液晶表示装置についての液晶モジュールに対するディスク装置の取付け構造を例示してある。
【０００４】
図３のディスク装置一体型液晶表示装置において、液晶モジュール１は、前面に液晶セルの表示面（不図示）が臨み、背面には板金製の背板１２が配備されている。そして、この液晶モジュール１の背部に、配線基板２とディスク装置３とが重なり状に組み付けられる。
【０００５】
このように液晶モジュール１の背部に配備された配線基板２の背部にさらにディスク装置３を重なり状に配備する場合、配線基板２に搭載される電気電子部品がディスク装置と干渉することのないようにするために、従来は、図３に示した板金製のスペーサ４を配線基板２とディスク装置３との間に介在させることによってそれらの配線基板２とディスク装置３との間に配線基板２の搭載部品を収容可能なスペースを確保させるようにしていた。
【０００６】
そして、液晶モジュール１、配線基板２、ディスク装置３及びスペーサ４の組付け構造は具体的には図４のように構成されていた。すなわち、液晶モジュール１の背板１２に膨出状に形成したビス止め部１３に配線基板２を重ね合わせると共に、その配線基板２にスペーサ４を重ね合わせた上で、スペーサ４のビス止め片４１のビス挿通孔と配線基板２のビス挿通孔とに挿通させた取付けビス５１を上記ビス止め部１３のねじ孔にねじ込んで締め付けることによって複数箇所でスペーサ４を液晶モジュール１の板片１２に取り付けると共に、ディスク装置３のビス止め用ブラケット３１のビス挿通孔に挿通させた取付けビス５２を上記スペーサ４のビス孔にねじ込んで締め付けることによってディスク装置３の複数箇所をスペーサ４に取り付けていた。
【特許文献１】特開２００５−２９５１４６号公報
【特許文献２】特開２００５−２７７６３５号公報
【発明の開示】
【発明が解決しようとする課題】
【０００７】
しかしながら、図３又は図４を参照して説明した従来のディスク装置一体型液晶表示装置では、スペーサ４を余分に用いてディスク装置３を配線基板２に対して嵩上げするという構成を採用して配線基板２の搭載部品を収容するスペースを確保していたために、スペーサ４やスペーサ４を液晶モジュール１に取り付けるための取付けビス５１が余分に必要になって部品数や組立工数が多くなっているという問題があった。また、配線基板２に積み重ねられたスペーサ４にさらにディスク装置３が積み重ねられているというような部品の多重積み重ね構造を採ることを余儀なくされていたために、ディスク装置３の取付面の位置精度（すなわち取付面の平面度）にばらつきが発生しやすく、そのためにディスク装置３の取付精度の低下を来すおそれがあるという問題があった。
【０００８】
本発明は以上の問題に鑑みてなされたものであり、図３又は図４を参照して説明した従来のディスク装置一体型液晶表示装置に用いられていた板金製のスペーサやそれを取り付けるための取付ビスを省略したものでありながら、ディスク装置を配線基板に対し嵩上げして配線基板の搭載部品を収容するスペースを確保することが可能になり、併せて、上記したディスク装置の取付面の平面度にばらつきが生じにくくなるディスク装置一体型液晶表示装置を提供することを目的とする。
【０００９】
また、本発明は、液晶モジュールの背板に樹脂成形体を用いることを基本として、ディスク装置一体型でない液晶表示装置の液晶モジュールの背板を成形するための金型を用いて、液晶モジュールの背板を成形することのできるディスク装置一体型液晶表表示装置を提供することを目的とする。
【課題を解決するための手段】
【００１０】
本発明に係るディスク装置一体型液晶表示装置は、液晶モジュールの背部に配線基板とディスク装置とが配備されているディスク装置一体形液晶表示装置において、上記液晶モジュールの背板に重なり状に取り付けられた配線基板の孔部に、樹脂成形体でなる上記背板に一体成形された突起を挿通させ、その突起の頂部に上記ディスク装置の取付け部を重ね合わせることによって上記配線基板の搭載部品を収容可能なスペースを上記配線基板と上記ディスク装置との相互間に確保させ、かつ、上記突起にディスク装置の上記取付け部をビス止めしてある。
【００１１】
この構成であると、液晶モジュールの背板に樹脂で一体成形した突起の高さを適切に定めておくことにより、配線基板の搭載部品を収容可能なスペースが上記配線基板と上記ディスク装置との相互間に確保される。そして、ディスク装置の取付け部がその突起の頂部に重ね合わされてビス止めされるという構成を採用しているので、図３又は図４に示したスペーサ４やその取付けビス５１が不要になり、それだけ部品点数や組立工数が削減される。しかも、配線基板が液晶モジュールの背板に重なり状に取り付けられているのに対し、ディスク装置は液晶モジュールの背板に一体成形された突起に重なり状に取り付けられていて、配線基板に積み上げられているものではないために、ディスク装置の取付け部分に多重積み重ね構造が存在しなくなって、ディスク装置の取付面の平面度にばらつきが発生しにくくなる。
【００１２】
本発明において、上記突起は、上記背板を成形するための金型に形成されていて、入れ子を配備することによって塞がれる入れ子挿入孔の孔壁面を成形面として利用することにより成形されていることが望ましい。この構成を採用すると、突起を有する背板の成形と突起を有しない背板の成形とに同一の金型を共用することができるため、ディスク装置一体型液晶表示装置のようにディスク装置を備える液晶表示装置における液晶モジュールの背板と、ディスク装置一体型でない液晶表示装置の液晶モジュールの背板とを同一の金型を用いて成形することができるようになるという利便性が生じる。
【００１３】
本発明に係るディスク装置一体型液晶表示装置は、液晶モジュールの背部に配線基板とディスク装置とが配備されていて、それらの配線基板とディスク装置との間に板金製のスペーサを介在させることによって、配線基板の搭載部品を収容可能なスペースを、上記配線基板と上記ディスク装置との相互間に確保させてあるディスク装置一体形液晶表示装置において、上記スペーサを省略する代わりに、上記液晶モジュールの背板に重なり状に取り付けられた配線基板の孔部に樹脂成形体でなる上記背板に一体成形された突起を挿通させ、その突起の頂部に上記ディスク装置の取付け部を重ね合わせることによって上記配線基板の搭載部品を収容可能なスペースを上記配線基板と上記ディスク装置との相互間に確保させ、かつ、上記突起にディスク装置の上記取付け部をビス止めしてあると共に、上記突起は、上記背板を成形するための金型に形成されていて、入れ子を配備することによって塞がれる入れ子挿入孔の孔壁面を成形面に利用することにより成形されている、という構成を採用することによっていっそう具体化される。この発明については、後述する実施形態を参照して詳細に説明する。
【発明の効果】
【００１４】
以上のように、本発明によれば、板金製のスペーサやそれを取り付けるための取付ビスを省略した上で、ディスク装置を配線基板に対し嵩上げして配線基板の搭載部品を収容するスペースを確保することが可能になるので、部品コストや組立コストを安価に抑えやすくなるだけでなく、液晶モジュールに一体に装備されるディスク装置の取付面の平面度にばらつきが生じにくくなって、ディスク装置一体型液晶表示装置の全体的な性能を高めることに役立つ。また、液晶モジュールの背板の成形に、ディスク装置一体型でない液晶表示装置の液晶モジュールの背板の成形に用いる金型を共用することができるようにしたものでは、金型共用化によるコスト低減を図りやすくなるという効果がある。
【発明を実施するための最良の形態】
【００１５】
図１は本発明の実施形態に係るディスク装置一体型液晶表示装置の要部の概略分解斜視図、図２は図１のディスク装置一体型液晶表示装置についての液晶モジュールに対するディスク装置の取付け構造を示した部分断面図である。
【００１６】
図１のディスク装置一体型液晶表示装置において、液晶モジュール６は、前面に液晶セルの表示面（不図示）が臨み、背面には樹脂成形体でなる背板６１が配備されている。そして、この液晶モジュール６の背部に、配線基板７とディスク装置８とが重なり状に組み付けられる。図２のように、液晶モジュール６の背板６１には膨出状のビス止め部６２が一体成形されていて、配線基板７がそのビス止め部６２に重ね合わされて取付けビス５３によってビス止めされている。また、図１又は図２のように、配線基板７の４箇所に孔部７１が開設されていて、それらの各孔部７１に、液晶モジュール６の背板６１の４箇所に一体成形されたボスでなる突起６２がそれぞれ挿通されている。そして、図２のように、ディスク装置８のビス止め用ブラケット８１が突起６２の頂部に重ね合わされていて、ブラケット８１のビス挿通孔８２に挿通させた取付けビス５４を上記突起６２にねじ込んで締め付けることによってディスク装置３の４箇所が液晶モジュール６にに取り付けられている。
【００１７】
ここで、液晶モジュール６の背板６１からの突起６３の突出高さは、その背板６１に取り付けられている配線基板７と、その突起６３に取り付けられているディスク装置８との間に、配線基板７の搭載部品を収容し得るスペースを確保することができる程度に定められている。
【００１８】
以上の構成を採用したディスク装置一体型液晶表示装置によると、図３や図４を参照して説明した従来例に比べて、スペーサ４やそれを取り付けるための取付けビス５１が不要になってそれだけ部品点数が削減され、組立工数も削減されるために、ディスク装置一体型液晶表示装置の量産性を高めたりコストダウンを図る上で有益である。また、ディスク装置８が、配線基板７とは別に、液晶モジュール６の背板６１から突出された突起６３にビス止めされているという構成により、ディスク装置８の取付け部分に多重積み重ね構造が存在しない。その結果、ディスク装置の取付面の平面度にばらつきが発生しにくくなり、そのことがディスク装置一体型液晶表示装置の全体的な性能を高めることに役立つだけでなく、その量産性を高めることにも役立つ。
【００１９】
この実施形態において、液晶モジュール６には、たとえば液晶型テレビジョン受像機に用いられる液晶モジュールが該当し、ディスク装置８には、たとえばＤＶＤドライブが該当する。なお、ディスク装置８としてＣＤドライブや磁気テープ装置を採用することも可能である。
【００２０】
ところで、上記配線基板７は、ディスク装置一体型液晶表示装置の制御用配線基板としてだけでなく、ディスク装置を備えていない液晶表示装置の制御用配線基板として用いることが可能な場合もある。そのような場合に、配線基板７に孔部７１を開設しておくことは、当該配線基板７の回路パターンの有効形成領域を狭めることになるので好ましくない。また、液晶モジュール６の背板６１の突起６３は、上記配線基板７を、ディスク装置を備えていない液晶表示装置の制御用配線基板として用いる場合には不要である。そこで、上記した実施形態において、液晶モジュール６の背板６１の突起６３は、その背板６１を成形するための金型（不図示）に形成されている入れ子挿入孔の孔壁面を成形面として利用することによって形成してある。これによると、入れ子挿入孔に入れ子を配備してその入れ子挿入孔を塞いでおくことにより、突起６３を有する背板６１を成形するための上記金型と同一の金型を用いて突起６３を有しない背板を成形することが可能になる。したがって、実施形態のディスク装置一体型液晶表示装置における液晶モジュール６の背板６３を成形するための金型は、ディスク装置一体型でない液晶表示装置の液晶モジュールの背板を成形するための金型としても用いることができるようになるという利便性がある。
【図面の簡単な説明】
【００２１】
【図１】本発明の実施形態に係るディスク装置一体型液晶表示装置の要部の概略分解斜視図である。
【図２】図１のディスク装置一体型液晶表示装置についてのディスク装置の取付け構造を示した部分断面図である。
【図３】従来のディスク装置一体型液晶表示装置の要部を概略分解斜視図である。
【図４】従来のディスク装置一体型液晶表示装置についてのディスク装置の取付け構造を例示した部分断面図である。
【符号の説明】
【００２２】
１，６  液晶モジュール
２，７  配線基板
３，８  ディスク装置
４  スペーサ
７１  孔部
６３  突起
８１  ブラケット（ディスク装置の取付け部）
【図１】
2007318302.tif 000003
【図２】
2007318302.tif 000004
【図３】
2007318302.tif 000005
【図４】
2007318302.tif 000006